(57)【特許請求の範囲】
【請求項１】
表示部などが搭載された第１のプリント基板、前寄りの上下にそれぞれ突出部を有し前記第１のプリント基板の後面に垂直かつ平行に取付けられた第２，第３のプリント基板、及びこれら第２，第３のプリント基板の後端部に結合された端子台からなる内器本体と、
表示窓などを有する額縁状の前面パネル、及び後部が開口され上壁と下壁に係止穴を有し、前記前面パネルの後面に一体に形成された前記内器本体が挿入しうるケース部からなる前部ケースと、
前部が開口し後壁に開口部が設けられ、上壁と下壁の内面に前端部に切欠き部を有し前記内器本体の第２，第３のプリント基板に対応して案内溝が設けられ、かつ上壁と下壁の前端部に前記前部ケースの係止穴に係止する係止片が突設された前記前部ケースのケース部に対応した大きさの後部ケースとを備え、
前記第２，第３のプリント基板を前記後部ケースの案内溝に挿入し、内器本体を該後部ケース内に収容してその突出部を案内溝に設けた切欠き部に係止させ、前記前部ケースを内器本体の前部側に嵌入してその係止穴を後部ケースの係止片に係止させたことを特徴とする小形電子機器。
【請求項２】
表示部などが搭載された第１のプリント基板、該第１のプリント基板の後面に垂直かつ平行に取付けられた第２，第３のプリント基板、及びこれら第２，第３のプリント基板の後端部に結合された端子台からなる内器本体と、
表示窓などを有し後面の両側近傍に係止片が突設された前面パネルと、
前面が開口し後壁に開口部が設けられ、上壁と下壁の内面に前記内器本体の第２，第３のプリント基板に対応して案内溝が設けられ、かつ両側壁に前記前面パネルの係止片が係止する係止穴を有するケースとを備え、
前記第２，第３のプリント基板を前記ケースの案内溝に挿入して内器本体を該ケース内に収容し、前記前面パネルをケースの前端部に当接してその係止片をケースの係止穴に係止させたことを特徴とする小形電子機器。
【発明の詳細な説明】
【０００１】
【発明の属する技術分野】
本発明は、例えば、回転計、電子カウンタ、タイマなどの小形電子機器に係り、さらに詳しくは、本体を収容するケース及びプリント基板の取付手段を改良した小形電子機器に関するものである。
【０００２】
【従来の技術】
この種小形電子機器の一例として、図５に示すものがある。５０は内器本体で、表示窓５２及び押しボタン５３を有し、段部を介して両側に側壁５４ａ，５４ｂが設けられた前面パネル５１と、ＬＥＤ、切換スイッチなどが搭載され、両端部が前面パネル５１の側壁５４ａ，５４ｂに設けた嵌合穴５５ａ，５５ｂ、５６ａ，５６ｂ（５５ｂ，５６ｂは図示せず）に嵌入されて、前面パネル５１と平行に配設された第１のプリント基板５７と、電子部品等が搭載されて制御回路などが形成され、両端部が前面パネル５１の側壁５４ａ，５４ｂに設けた嵌合穴５７ａ，５７ｂ、５８ａ，５８ｂ（５７ｂ，５８ｂは図示せず）に嵌入されて上下に平行に配設された第２，第３のプリント基板６０，６１と、これら第２，第３のプリント基板６０，６１の後端部を支持し、かつ、側壁６３ａ，６３ｂ（６３ｂは図示せず）の上下に設けた係止片６４ａ，６４ｂ、６４ｃ，６４ｄ（６４ｄは図示せず）により第２，第３のプリント基板６０，６１に係止して一体に結合された端子台６２とからなっている。なお、６５ａ，６５ｂ（６５ｂは図示せず）は側壁６３ａ，６３ｂに設けた係止凹部である。
【０００３】
７０は前部に前面パネル５１が収容される額縁状の収容部７１が設けられ、後面に開口部（図示せず）が形成された角筒状のケースで、両側壁７２ａ，７２ｂの後部内面には、内器本体５０の端子台６２に設けた係止凹部６５ａ，６５ｂが係止する係止突部７３ａ，７３ｂ（７３ｂは図示せず）が突設されている。
【０００４】
上記のように構成した内器本体５０はケース７０内に挿入され、その係止凹部６５ａ，６５ｂがケース７０の係止突部７３ａ，７３ｂに係止して収容される。このとき、内器本体５０の前面パネル５１はケースの収容部７１内に位置し、端子台６２の一部はケース７０の後面に設けた開口部から突出している。また、前面パネル５１とケース７０との間にはパッキン５９が介装されて、両者の間を水密に保持している。
【０００５】
【発明が解決しようとする課題】
上記のような小形電子機器は、前面パネル５１の構造が複雑なため、金型及び製造コストが高くなり、また、プリント基板５７，６０，６１の組込みが面倒なため作業性が悪いという問題がある。
さらに、前面パネル５１とケース７０との間にパッキン５９を介装して水密性を確保しているが、パッキン５９の良否及び取付けの正確さが水密度を左右するため、その検査、取付作業に多くの時間を要し、作業性が悪いという問題がある。
【０００６】
本発明は、上記の課題を解決するためになされたもので、構造が簡単で金型の製作費を低減でき、その上プリント基板の組込みが容易で作業性を向上できる小形電子機器を得ることを目的としたものである。
また、本発明は、水密性に優れた小形電子機器を得ることを目的としたものである。
【０００８】
【課題を解決するための手段】
本発明に係る小形電子機器は、表示部などが搭載された第１のプリント基板、前寄りの上下にそれぞれ突出部を有し第１のプリント基板の後面に垂直かつ平行に取付けられた第２，第３のプリント基板、及びこれら第２，第３のプリント基板の後端部に結合された端子台からなる内器本体と、表示窓などを有する額縁状の前面パネル、及び後部が開口され上壁と下壁に係止穴を有し、前面パネルの後面に一体に形成された内器本体が挿入しうるケース部からなる前部ケースと、前部が開口し後壁に開口部が設けられ、上壁と下壁の内面に前端部に切欠き部を有し内器本体の第２，第３のプリント基板に対応して案内溝が設けられ、かつ上壁と下壁の前端部に前部ケースの係止穴に係止する係止片が突設された前部ケースのケース部に対応した大きさの後部ケースとを備え、第２，第３のプリント基板を後部ケースの案内溝に挿入し、内器本体を後部ケース内に収容してその突出部を案内溝に設けた切欠き部に係止させ、前部ケースを内器本体の前部側に嵌入してその係止穴を後部ケースの係止片に係止させたものである。
【０００９】
また、表示部などが搭載された第１のプリント基板、この第１のプリント基板の後面に垂直かつ平行に取付けられた第２，第３のプリント基板、及びこれら第２，第３のプリント基板の後端部に結合された端子台からなる内器本体と、表示窓などを有し後面の両側近傍に係止片が突設された前面パネルと、前面が開口し後壁に開口部が設けられ、上壁と下壁の内面に内器本体の第２，第３のプリント基板に対応して案内溝が設けられ、かつ両側壁に前面パネルの係止片が係止する係止穴を有するケースとを備え、第２，第３のプリント基板をケースの案内溝に挿入して内器本体をケース内に収容し、前面パネルをケースの前端部に当接してその係止片をケースの係止穴に係止させものである。
【００１０】
【発明の実施の形態】
実施形態１
図１は本発明の実施形態１に係る小形電子機器の全体構成を示す斜視図、図２は図１の分解斜視図である。
両図において、１は箱状の前部ケースで、表示窓３及び複数のスイッチ窓４を有する額縁状の前面パネル２と、段部６を介して前面パネル２と一体に連接された前面パネル２より小さい角筒状のケース部５とからなっている。このケース部５の後面は開口され、上壁及び下壁の後部側にはそれぞれ係止穴７ａ，７ｂが設けられており、また、両側壁の後部側内面には上下方向に係止凹部８ａ，８ｂ，８ｃが設けられている。
【００１１】
１０は後部ケースで、前部ケース１のケース部５と同じ大きさの角筒状に形成されており、後面は開口されている（図示せず）。１１ａ，１１ｂは係止爪を有し、前面ケース１の係止穴７ａ，７ｂに対応して上壁及び下壁から突設された係止片、１２ａ，１２ｂ，１２ｃは前面ケース１の係止凹部８ａ〜８ｃに対応して両側壁の内面側から突設された係止爪である。
１３ａ，１３ｂ及び１３ｃ，１３ｄは上壁と下壁にそれぞれ対向して設けられ、後述のプリント基板が挿入される案内溝で、その前端部にはそれぞれ切欠き部１４ａ，１４ｂ，１４ｃ，１４ｄが設けられている。
【００１２】
２０は内器本体であり、２１はＬＥＤ２２、切換スイッチ２３などが搭載された第１のプリント基板で、両側縁よりやや内側（これは、後部ケース１０の案内溝１３ａ，１３ｂ及び１３ｃ，１３ｄにそれぞれ対応する）には、上下方向に嵌合穴２４ａ，２４ｂが設けられている。
２５，２６は電子部品などが搭載されて制御回路などが設けられた第２，第３のプリント基板で、前端部が第１のプリント基板２１の嵌合穴２４ａ，２４ｂに嵌入されて、この第１のプリント基板２１と直交し、かつ平行に配置されている。２７ａ，２７ｂ，２７ｃ，２７ｄ（２７ｄは図示せず）は、第２，第３のプリント基板２５，２６の第１のプリント基板２１寄りの上下に突設された突起部である。２８は第２，第３のプリント基板２５，２６の後端部に結合された端子台である。
【００１３】
次に、上記のように構成した本実施形態の組立順序の一例を説明する。
（１）ＬＥＤ２２、切換スイッチ２３などが搭載された第１のプリント基板２１の嵌合穴２４ａ，２４ｂに、第２，第３のプリント基板２５，２６の前端部を嵌入し、これら第２，第３のプリント基板２５，２６の後端部に端子台２８を結合する。このとき、端子台２８の両側部は、第２，第３のプリント基板２５，２６の側面から外方に突出しており、その突出長は、第１のプリント基板２１の第２，第３のプリント基板２５，２６の側面からの突出長とほぼ等しくなっている。
【００１４】
そして、第１のプリント基板２１と第２，第３のプリント基板２５，２６の配線パターン、第２，第３のプリント基板２５，２６の配線パターンと端子台２８の端子、及び第２，第３のプリント基板２５，２６の配線パターンを、直接又はリード線を介してはんだ付けし、内器本体２０を構成する。
【００１５】
（２）次に、前部ケース１に内器本体２０の前部側を嵌入する。このとき、第１のプリント基板２１は前面パネル２内に挿入され、第１のプリント基板２１に搭載したＬＥＤ２２は前面パネル２の表示窓３内に、また、切換スイッチ２３はスイッチ窓４内にそれぞれ位置し、前部ケース１の後端部は第２，第３のプリント基板２５，２６に設けた突起部２７ａ〜２７ｄの直前に位置する。
【００１６】
（３）内器本体２０の第２，第３のプリント基板２５，２６を、後部ケース１０の案内溝１３ａ，１３ｂ及び１３ｃ，１３ｄにそれぞれ嵌入し、案内溝１３ａ〜１３ｄに沿って内器本体２０を後部ケース１０内に挿入する。そして、内器本体２０（又は後部ケース１０）を押し込むと、第２，第３のプリント基板２５，２６の突起部２７ａ〜２７ｄが後部ケース１０の切欠き部１４ａ〜１４ｄにそれぞれ嵌入し、その位置で停止する。
【００１７】
このとき、後部ケース１０に設けた係止片１１ａ，１１ｂの係止爪が前部ケース１の係止穴７ａ，７ｂに、また、両側壁に設けた係止爪１２ａ〜１２ｃは係止凹部８ａ〜８ｃにそれぞれ係止し、内器本体２０、前部ケース１及び後部ケース１０は一体に結合される。このときの状態を図１に示す。なお、端子台２８の一部は、後部ケース１０の後面に設けた開口部から外部に突出する。また、前部ケース１と後部ケース１０は第１のプリント基板２１の後方で結合されるので、第１のプリント基板２１及びその近傍に水や塵埃等が侵入するおそれがなく、したがってパッキンは不要である。
以上、本実施形態の組立の一例について説明したが、これに限るものではなく、適宜変更することができる。
【００１８】
実施形態２
図３は本発明の実施形態２の全体構成を示す斜視図、図４は図３の分解斜視図及び前面パネルの背面斜視図である。
図において、３０は表示窓３１及びスイッチ窓３２等を有する板状の前面パネルで、背面両側の縁部より内側には、係止爪を有する係止片３３ａ，３３ｂが前面パネル３０と直交して設けられており、また、四隅には突起部３４ａ，３４ｂ，３４ｃ，３４ｄが突設されている。
【００１９】
４０はその断面積が前面パネル３０より小さく、前面が開口された箱状のケースで、上壁と下壁の内面にはそれぞれ対向して案内溝４１ａ，４１ｂ及び４１ｃ，４１ｄが設けられており、また、両側壁の前部側には、前面パネル３０の係止片３３ａ，３３ｂの係止爪が係止する係止穴４２ａ，４２ｂが設けれている。なお、図示してないが、後面には開口部が形成されている。
【００２０】
２０ａは内器本体であり、２１はＬＥＤ２２、切換スイッチ２３等が搭載された第１のプリント基板で、その高さはケース４０の内のり高さとほぼ等しく、その幅はケース４０の内のり幅より若干狭く形成されている。また、このプリント基板２１の両側縁には切欠き部２４ａ，２４ｂが設けられている。
２５，２６は第２，第３のプリント基板で、その前端部が第１のプリント基板２１の切欠き部２４ａ，２４ｂに嵌合されて、第１のプリント基板２１の両側縁部に取付けられており、後部には端子台２８が結合されている。２９ａ，２９ｂ，２９ｃ，２９ｄ（２９ｄは図示せず）は第２，第３のプリント基板２５，２６の後部の上下に設けた段部である。なお、第２，第３のプリント基板２５，２６は、実施形態１の場合と同様に、第１のプリント基板２１の両側縁部より内側に取付け、また、端子台２８の両端部を第２，第３のプリント基板２５，２６の側面より突出させるようにしてもよい。
【００２１】
上記のように構成した本実施形態においては、先ず、内器本体２０ａの第２，第３のプリント基板２５，２６をケース４０の案内溝４１ａ，４１ｂ、４１ｃ，４１ｄに嵌入し、内器本体２０ａを案内溝４１ａ〜４１ｄに沿ってケース４０内に挿入する。そして、第２，第３のプリント基板２５，２６の段部２９ａ〜２９ｄが後面の開口部の縁部に当接して停止する。
このとき、第１のプリント基板２１はケース４０の前端部と同一平面図か又はそれより内側に位置し、端子台２８の一部は、後部の開口部から突出している。
【００２２】
ついで、ケース４０の前面から、ケース４０と第１のプリント基板２１との間に、前面パネル３０の係止片３３ａ，３３ｂを挿入して押込み、その係止爪をケース４０の係止穴４２ａ，４２ｂに係止させる。これにより、前面パネル３０はケース４０の前端部に当接し、第１のプリント基板２１のＬＥＤ２２は前面パネル３０の表示窓３１内に、切換スイッチ２３はスイッチ窓３２内にそれぞれ位置する。
【００２３】
また、前面パネル３０の背面に設けた突起部３４ａ〜３４ｄは第１のプリント基板２１の前面に当接し、前面パネル３０と第１のプリント基板２１との間を所定の間隙に保持する。
このようにして、内器本体２０ａ、前面パネル３０及びケース４０は一体に結合される。なお、本実施形態においては、前面パネル３０とケースとの間にパッキンを介装することが必要である。
【００２４】
実施形態３
実施形態１及び２においては、第１のプリント基板２１の後面の両側に、第２，第３のプリント基板２５，２６を垂直かつ平行に取付けた場合を示したが、本実施形態においては、第１のプリント基板２１の後面の上下に、第２，第３のプリント基板２５，２６を水平かつ平行に取付けると共に、後部ケース１０又はケース４０の左右の側壁に案内溝１３ａ〜１３ｄ又は４１ａ〜４１ｄを設けたものである（図示せず）。
なお、前部ケース１に設けた係止穴７ａ，７ｂ、及び後部ケース１０に設けた係止片１１ａ，１１ｂをそれぞれ側壁に設けてもよく、また、前面パネル３０に設けた係止片３３ａ，３３ｂ、及びケース４０に設けた係止穴４２ａ，４２ｂをそれぞれ上壁及び下壁に設けてもよい。
【００２５】
上記のように構成した本実施形態においても、第１，第２の実施形態の場合と同様の効果を得ることができる。
【００２７】
【発明の効果】
本発明は、表示部などが搭載された第１のプリント基板、前寄りの上下にそれぞれ突出部を有し第１のプリント基板の後面に垂直かつ平行に取付けられた第２，第３のプリント基板、及びこれら第２，第３のプリント基板の後端部に結合された端子台からなる内器本体と、表示窓などを有する額縁状の前面パネル、及び後部が開口され上壁と下壁に係止穴を有し、前面パネルの後面に一体に形成された内器本体が挿入しうるケース部からなる前部ケースと、前部が開口し後壁に開口部が設けられ、上壁と下壁の内面に前端部に切欠き部を有し内器本体の第２，第３のプリント基板に対応して案内溝が設けられ、かつ上壁と下壁の前端部に前部ケースの係止穴に係止する係止片が突設された前部ケースのケース部に対応した大きさの後部ケースとを備え、第２，第３のプリント基板を後部ケースの案内溝に挿入し、内器本体を後部ケース内に収容してその突出部を案内溝に設けた切欠き部に係止させ、前部ケースを内器本体の前部側に嵌入してその係止穴を後部ケースの係止片に係止させるよにしたので、構造が簡単でプリント基板の組込みが容易であり、このため製造が容易でその上パッキンが不要になるため作業性が向上し、コストを低減することができる。
【００２８】
また、表示部などが搭載された第１のプリント基板、第１のプリント基板の後面に垂直かつ平行に取付けられた第２，第３のプリント基板、及びこれら第２，第３のプリント基板の後端部に結合された端子台からなる内器本体と、表示窓などを有し後面の両側近傍に係止片が突設された前面パネルと、前面が開口し後壁に開口部が設けられ、上壁と下壁の内面に内器本体の第２，第３のプリント基板に対応して案内溝が設けられ、かつ両側壁に前面パネルの係止片が係止する係止穴を有するケースとを備え、第２，第３のプリント基板をケースの案内溝に挿入して内器本体をケース内に収容し、前面パネルをケースの前端部に当接してその係止片をケースの係止穴に係止させるようにしたので、上記（１）と同様の効果を得ることができる。
【図面の簡単な説明】
【図１】本発明に係る実施形態１の全体構成を示す斜視図である。
【図２】図１の分解斜視図である。
【図３】実施形態２の全体構成を示す斜視図である。
【図４】図３の分解斜視図である。
【図５】従来の小形電子機器の一例の分解斜視図図である。
【符号の説明】
１  前部ケース
２，３０  前面パネル
５  ケース部
７ａ，７ｂ、４２ａ，４２ｂ  係止穴
１０  後部ケース
１１ａ，１１ｂ、３３ａ，３３ｂ  係止片
１３ａ〜１３ｄ、４１ａ〜４１ｄ  案内溝
１４ａ〜１４ｄ  切欠き部
２０，２０ａ  内器本体
２１  第１のプリント基板
２５  第２のプリント基板
２６  第３のプリント基板
２７ａ〜２７ｄ  突起部
２８  端子台
４０  ケース
【図１】
0003689826.tif 000002
【図２】
0003689826.tif 000003
【図３】
0003689826.tif 000004
【図４】
0003689826.tif 000005
【図５】
0003689826.tif 000006